(57)【要約】【課題】テレビジョン受像機において、ＯＳＤの表示によってＴＶ番組の臨場感が損なわれることを防ぐ。【解決手段】ＴＶ受像機は、メモリ内のＯＳＤ管理デ−タに、ディスプレイに表示するための複数の種類のＯＳＤ用デ−タと、複数の種類のＯＳＤ用デ−タのそれぞれに対応し、番組情報内の情報と同種類の識別情報であるＯＳＤ用識別デ−タとを記憶している。ユ−ザによってＴＶ番組が視聴されると（Ｓ１）、視聴中のＴＶ番組のＥＰＧ情報を取得し（Ｓ２）、取得したＥＰＧ情報より番組ジャンルや番組時間帯等を取得する（Ｓ３）。そして、ＴＶ受像機は、ＯＳＤ管理デ−タから、取得したＥＰＧ情報内の情報と一致するＯＳＤ用識別デ−タに対応するＯＳＤ用デ−タを取得し（Ｓ４）、ユ−ザによってリモコンが操作されてＯＳＤの表示が指示されると（Ｓ５）、取得したＯＳＤ用デ−タのうち、操作に応じたＯＳＤ用デ−タをディスプレイに表示する（Ｓ６）。【選択図】図４
2012004943.tif 000002
【特許請求の範囲】
【請求項１】
各種のメッセージを表示する表示手段と、
前記表示手段にＯＳＤ（Ｏｎ−Ｓｃｒｅｅｎ  Ｄｉｓｐｌａｙ）を表示させるＯＳＤ出力手段と、
ユ−ザによって操作され、前記表示手段にＯＳＤを表示するように指示するためのＯＳＤ表示指示操作手段と、
放送局から配信される番組情報を取得する番組情報取得手段と、
装置各部を制御する制御手段とを備えるテレビジョン受像機において、
前記表示手段に表示する複数の種類のＯＳＤ用デ−タと、該複数の種類のＯＳＤ用デ−タのそれぞれに対応し、前記番組情報内の情報と同種類の情報を含む識別情報とを記憶するＯＳＤ用デ−タ記憶手段と、
前記番組情報取得手段によって取得された番組情報内の情報と一致する前記識別情報を検出し、検出した該識別情報に対応する前記ＯＳＤ用デ−タを前記ＯＳＤ用デ−タ記憶手段から取得するＯＳＤ用デ−タ取得手段とをさらに備え、
前記制御手段は、
前記番組情報取得手段を用いて、ユ−ザが視聴中であるＴＶ番組の番組情報を取得した後、前記ＯＳＤ用デ−タ取得手段を用いて、前記ＯＳＤ用デ−タ記憶手段から、該番組情報取得手段によって取得した番組情報内の情報と一致する前記識別情報に対応する前記ＯＳＤ用デ−タを取得し、
ユ−ザによって前記ＯＳＤ表示指示操作手段が操作されると、前記ＯＳＤ出力手段を用いて、前記ＯＳＤ用デ−タ取得手段によって取得したＯＳＤ用デ−タのうち、前記ＯＳＤ表示指示操作手段による前記操作に応じたＯＳＤ用デ−タを前記表示手段に表示することを特徴とするテレビジョン受像機。
【請求項２】
前記識別情報は、ＴＶ番組の番組ジャンル、又は放送時間帯の情報を含むものであり、
前記ＯＳＤ用デ−タ取得手段は、前記番組情報取得手段によって取得された番組情報内の番組ジャンル、又は放送時間帯の情報と一致する前記識別情報を検出し、検出した該識別情報に対応する前記ＯＳＤ用デ−タを前記ＯＳＤ用デ−タ記憶手段から取得することを特徴とする請求項１に記載のテレビジョン受像機。
【発明の詳細な説明】
【技術分野】
【０００１】
本発明は、ＯＳＤ（Ｏｎ−Ｓｃｒｅｅｎ  Ｄｉｓｐｌａｙ）を表示可能なテレビジョン受像機に関する。
【背景技術】
【０００２】
従来から、ＯＳＤを表示可能なテレビジョン（以下、ＴＶという）受像機が普及している。この種のＴＶ受像機では、ディスプレイに表示されるＯＳＤのフォントが常に明朝体であったり、ディスプレイ上でのＯＳＤの表示位置が固定されていたりする場合が多い。すなわち、ディスプレイ上のＯＳＤの表示が一種類しかない。従って、ユ−ザによって視聴されているＴＶ番組の番組ジャンルが、例えば「ホラ−」や「バラエティ」等のように全く異なっている場合であっても、常に同じＯＳＤが表示されるので、ＴＶ番組の臨場感を損なうことがあり、ユ−ザがＴＶ番組を十分に楽しむことができない。
【０００３】
これに対して、特許文献１には、設定時刻になったらメッセージ用メモリからメッセージを読出して、ＯＳＤ回路から文字信号として出力し、ＣＲＴにメッセ−ジを表示するＴＶ受像機が開示されている。また、特許文献２には、複数の映像信号出力機器が接続され、映像の再生が開始された機器から出力されるＯＳＤ表示パタ−ンを検知することにより、検知した機器の入力信号を出力するように自動的に切り替えるＴＶ受像機が開示されている。しかしながら、これらのＴＶ受像機は、一種類のＯＳＤを表示するものであるため、上記問題を解決できない。
【０００４】
また、特許文献３には、番組情報から検出した番組名文字列デ−タの分割を行った後、分割された分割文字列デ−タをメモリに保存し、ユ−ザによる操作に基づいて、分割された複数の文字列デ−タを交互に表示するＴＶ受像機が開示されている。しかしながら、このＴＶ受像機も、一種類のＯＳＤを表示するものであるため、上記問題を解決できない。
【先行技術文献】
【特許文献】
【０００５】
【特許文献１】特開平１０−２７６３７９号公報
【特許文献２】特開２００８−１１３６７号公報
【特許文献３】特開２００８−１７２９７号公報
【発明の概要】
【発明が解決しようとする課題】
【０００６】
本発明は、上述した問題点を解決するためになされたものであり、ＯＳＤの表示によってＴＶ番組の臨場感が損なわれることを防ぐテレビジョン受像機を提供することを目的とする。
【課題を解決するための手段】
【０００７】
上記目的を達成するために請求項１の発明は、各種のメッセージを表示する表示手段と、前記表示手段にＯＳＤ（Ｏｎ−Ｓｃｒｅｅｎ  Ｄｉｓｐｌａｙ）を表示させるＯＳＤ出力手段と、ユ−ザによって操作され、前記表示手段にＯＳＤを表示するように指示するためのＯＳＤ表示指示操作手段と、放送局から配信される番組情報を取得する番組情報取得手段と、装置各部を制御する制御手段とを備えるテレビジョン受像機において、前記表示手段に表示する複数の種類のＯＳＤ用デ−タと、該複数の種類のＯＳＤ用デ−タのそれぞれに対応し、前記番組情報内の情報と同種類の情報を含む識別情報とを記憶するＯＳＤ用デ−タ記憶手段と、前記番組情報取得手段によって取得された番組情報内の情報と一致する前記識別情報を検出し、検出した該識別情報に対応する前記ＯＳＤ用デ−タを前記ＯＳＤ用デ−タ記憶手段から取得するＯＳＤ用デ−タ取得手段とをさらに備え、前記制御手段は、前記番組情報取得手段を用いて、ユ−ザが視聴中であるＴＶ番組の番組情報を取得した後、前記ＯＳＤ用デ−タ取得手段を用いて、前記ＯＳＤ用デ−タ記憶手段から、該番組情報取得手段によって取得した番組情報内の情報と一致する前記識別情報に対応する前記ＯＳＤ用デ−タを取得し、ユ−ザによって前記ＯＳＤ表示指示操作手段が操作されると、前記ＯＳＤ出力手段を用いて、前記ＯＳＤ用デ−タ取得手段によって取得したＯＳＤ用デ−タのうち、前記ＯＳＤ表示指示操作手段による前記操作に応じたＯＳＤ用デ−タを前記表示手段に表示するものである。
【０００８】
また、請求項２の発明は、請求項１に記載のテレビジョン受像機において、前記識別情報は、ＴＶ番組の番組ジャンル、又は放送時間帯の情報を含むものであり、前記ＯＳＤ用デ−タ取得手段は、前記番組情報取得手段によって取得された番組情報内の番組ジャンル、又は放送時間帯の情報と一致する前記識別情報を検出し、検出した該識別情報に対応する前記ＯＳＤ用デ−タを前記ＯＳＤ用デ−タ記憶手段から取得するものである。
【発明の効果】
【０００９】
本発明によれば、ユ−ザが視聴中であるＴＶ番組の番組情報内の情報と一致する識別情報に対応するＯＳＤ用デ−タを取得し、ユ−ザによってＯＳＤ表示指示操作手段が操作されると、取得したＯＳＤ用デ−タのうち、操作に応じたＯＳＤ用デ−タを表示する。そのため、例えば、視聴中のＴＶ番組の番組ジャンルが「ホラ−」である場合、「ホラ−」に対応したＯＳＤ用デ−タ（例えば恐怖感のあるもの）を表示することができる。従って、ＯＳＤの表示によってＴＶ番組の臨場感が損なわれることを防ぐことができるので、ユ−ザがＴＶ番組を楽しむことができる。
【図面の簡単な説明】
【００１０】
【図１】本発明の一実施形態に係るＴＶ受像機と、このＴＶ受像機を操作するためのリモコンとを示す斜視図。
【図２】上記ＴＶ受像機の内部構成を示すブロック図。
【図３】上記ＴＶ受像機におけるＯＳＤ管理デ−タの構成を示すブロック図。
【図４】上記ＴＶ受像機におけるＯＳＤの表示処理の手順を示すフローチャート。
【図５】上記ＴＶ受像機のディスプレイに表示されるＯＳＤの一例を示す説明図。
【図６】上記ＴＶ受像機のディスプレイに表示されるＯＳＤの一例を示す説明図。
【図７】上記ＴＶ受像機のディスプレイに表示されるＯＳＤの一例を示す説明図。
【図８】上記ＴＶ受像機のディスプレイに表示されるＯＳＤの一例を示す説明図。
【発明を実施するための形態】
【００１１】
以下、本発明の一実施形態に係るテレビジョン受像機について、図１乃至図３を参照して説明する。図１は、テレビジョン（以下、ＴＶという）受像機１と、このＴＶ受像機１を操作するリモコン（ＯＳＤ表示指示操作手段）２との外観を示し、図２は、ＴＶ受像機１の内部構成を示す。図３は、ＯＳＤ管理デ−タ１６ｂに格納されるデ−タを示す。
【００１２】
ＴＶ受像機１は、放送局から放送される放送信号を受信するチューナ部１１と、チューナ部１１によって受信された放送信号に基づくＴＶ番組の映像やＯＳＤ（Ｏｎ−Ｓｃｒｅｅｎ  Ｄｉｓｐｌａｙ）を表示するディスプレイ（表示手段）１２と、ＴＶ番組の音声を出力するスピーカ１３と、リモコン２から送信される操作信号を受信するリモコン信号受信部１４とを備える。また、ＴＶ受像機１は、筐体外部に露出するように設けられたＨＤＭＩ端子部１５と、各種情報を記憶したメモリ１６と、各部を制御するための制御用マイコン（制御手段）１７とをさらに備える。
【００１３】
リモコン２は、ユ−ザによって操作される複数の操作ボタン（図示せず）を有し、ＴＶ受像機１に対してユーザによる操作に応じたリモコン信号を送信する。具体的には例えば、ユ−ザによってディスプレイ１２に音量表示や言語表示等のＯＳＤを表示するように指示する操作が行われると、リモコン２は、ＴＶ受像機１に対して、ディスプレイ１２に音量表示や言語表示等のＯＳＤを表示するように指示するためのリモコン信号を送信する。
【００１４】
メモリ１６は、制御用マイコン１７を動作させるためのプログラム１６ａと、ＯＳＤ管理デ−タ（ＯＳＤ用デ−タ記憶手段）１６ｂとを記憶している。
【００１５】
ＯＳＤ管理デ−タ１６ｂは、図３に示すように、ディスプレイ１２に表示するための複数の種類のＯＳＤ用デ−タ２１ａ〜２１ｎと、複数の種類のＯＳＤ用デ−タ２１ａ〜２１ｎのそれぞれに対応し、ＥＰＧ情報等の番組情報に基づく識別情報であるＯＳＤ用識別デ−タ（識別情報）２２とを記憶している。
【００１６】
ＯＳＤ用デ−タ２１ａ〜２１ｎのそれぞれは、ＯＳＤとして表示する文字情報と、この文字情報を表示する際のフォント、文字色、ディスプレイ１２の画面上のＯＳＤの表示位置、及びＯＳＤの表示の形等の情報を格納している。
【００１７】
ＯＳＤ用識別デ−タ２２は、ＴＶ番組の番組情報内の情報と同種類の識別情報であり、各番組ジャンルや番組時間帯等の情報から構成される。
【００１８】
制御用マイコン１７は、映像出力部１７ａと、音声出力部１７ｂと、ＥＰＧ情報取得部（番組情報取得手段）１７ｃと、ＯＳＤ用デ−タ取得部（ＯＳＤ用デ−タ取得手段）１７ｄと、ＯＳＤ出力部（ＯＳＤ出力手段）１７ｅとを有し、ユーザによるリモコン２の操作等に基づいて自装置を動作させる。
【００１９】
映像出力部１７ａは、チューナ部１１によって受信されたＴＶ番組の映像をディスプレイ１２に出力する。音声出力部１７ｂは、チューナ部１１によって受信されたＴＶ番組の音声をスピーカ１３に出力する。ＥＰＧ情報取得部１７ｃは、チューナ部１１によって受信されたＴＶ放送信号に含まれるＥＰＧ情報を取得する。
【００２０】
ＯＳＤ用デ−タ取得部１７ｄは、ＥＰＧ情報取得部１７ｃによって取得されたＥＰＧ内の情報と一致するＯＳＤ用識別デ−タ２２を検出し、検出したＯＳＤ用識別デ−タ２２に対応するＯＳＤ用デ−タ２１ａ〜２１ｎをＯＳＤ管理デ−タ１６ｂから取得する。
【００２１】
ＯＳＤ出力部１７ｅは、ＯＳＤ用デ−タ取得部１７ｄによって取得されたＯＳＤ用デ−タ２１ａ〜２１ｎに基づいて、ディスプレイ１２にＯＳＤを表示させる。
【００２２】
次に、ＴＶ受像機１におけるＯＳＤの表示処理について、図４に示すフローチャートを参照して説明する。まず、ＴＶ受像機１の電源がオンされて、ユ−ザによってＴＶ番組が視聴されると（Ｓ１）、制御用マイコン１７は、ＥＰＧ情報取得部１７ｃを用いて、ユ−ザが視聴中であるＴＶ番組のＥＰＧ情報を取得し（Ｓ２）、取得したＥＰＧ情報より、視聴中のＴＶ番組の番組ジャンルや番組時間帯等を取得する（Ｓ３）。ここで取得される情報は、例えば、番組ジャンル「ホラ−」や、放送時間帯「２０：００〜２０：５４」等である。
【００２３】
そして、制御用マイコン１７は、ＯＳＤ用デ−タ取得部１７ｄを用いて、ＯＳＤ管理デ−タ１６ｂから、ＥＰＧ情報取得部１７ｃによって取得したＥＰＧ情報内の情報と一致するＯＳＤ用識別デ−タ２２に対応するＯＳＤ用デ−タ２１ａ〜２１ｎを取得する（Ｓ４）。すなわち、取得したＥＰＧ情報内の番組ジャンルが「ホラ−」である場合、番組ジャンルが「ホラ−」であるＯＳＤ用識別デ−タ２２を検出し、検出したＯＳＤ用識別デ−タ２２に対応するＯＳＤ用デ−タ２１ａ〜２１ｎを取得する。
【００２４】
そして、ユ−ザによってリモコン２の音量ボタンやメニューボタンが操作されてＯＳＤの表示が指示されると（Ｓ５）、制御用マイコン１７は、ＯＳＤ出力部１７ｅを用いて、ＯＳＤ用デ−タ取得部１７ｄによって取得したＯＳＤ用デ−タ２１ａ〜２１ｎのうち、ユ−ザによるリモコン２の操作に応じたＯＳＤ用デ−タ２１ａ〜２１ｎをディスプレイ１２に表示する（Ｓ６）。
【００２５】
次に、ディスプレイ１２に表示されるＯＳＤの一例について、図５乃至図８を参照して説明する。図５は、番組ジャンルが「ニュ−ス」のときにディスプレイ１２に表示されるＯＳＤ４１である。図に示すように、ＯＳＤ４１は、フォントが「ゴシック体」であり、ディスプレイ１２の画面の左上に表示される。
【００２６】
図６は、番組ジャンルが「バラエティ」のときにディスプレイ１２に表示されるＯＳＤ４２の表示である。このＯＳＤ４２は、フォントが「ポップ書体」であり、上記図５のＯＳＤ４１よりも、番組ジャンル「バラエティ」の臨場感に適したものである。
【００２７】
図７は、番組ジャンルが「ホラ−」のときにディスプレイ１２に表示されるＯＳＤ４３である。このＯＳＤ４３は、フォントが「楷書体」、背景が黒色、文字が白色であり、番組ジャンル「ホラ−」の臨場感に適したものである。ＯＳＤ４３は、上記図５のＯＳＤ４１や上記図６のＯＳＤ４２よりも恐怖感のあるものであり、番組の臨場感に適したものである。なお、放送時間帯が深夜のときに、ＯＳＤ４３を表示してもよい。
【００２８】
図８は、番組ジャンルが「スポ−ツ」のときに表示されるＯＳＤ４４である。このＯＳＤ４４は、ディスプレイ１２の画面の下方に位置し、細い横長型をしている。これによって、ユーザがスポーツ番組の視聴中に例えばスポ−ツ選手等の映像とＯＳＤ４４とが被らないようにしている。従って、番組ジャンル「スポ−ツ」の臨場感に適したものである。
【００２９】
上述したように、本実施形態に係るＴＶ受像機１においては、ユ−ザが視聴中であるＴＶ番組のＥＰＧ情報内の情報と一致する識別情報に対応するＯＳＤ用デ−タ２１ａ〜２１ｎを取得し、ユ−ザによってリモコン２が操作されてＯＳＤの表示が指示されると、取得したＯＳＤ用デ−タ２１ａ〜２１ｎのうち、操作に応じたＯＳＤ用デ−タ２１ａ〜２１ｎをディスプレイ１２に表示する。そのため、例えば、視聴中のＴＶ番組の番組ジャンルが「ホラ−」である場合、「ホラ−」に対応したＯＳＤ用デ−タ（例えば恐怖感のあるもの）を表示することができる。従って、ＯＳＤの表示によってＴＶ番組の臨場感が損なわれることを防ぐことができるので、ユ−ザがＴＶ番組を楽しむことができる。また、番組ジャンルに対応するＯＳＤ用デ−タ２１ａ〜２１ｎを表示することによってＴＶ番組の臨場感をより際立たせることができるので、ユ−ザがＴＶ番組をさらに楽しむことができる。
【００３０】
なお、本発明は、上記実施形態の構成に限られず、発明の趣旨を変更しない範囲で種々の変形が可能である。例えば、上記実施形態において、ＥＰＧ情報内の「番組タイトル」や「出演者」に対応するＯＳＤ用デ−タの表示を行うものであってもよい。
【符号の説明】
【００３１】
１  ＴＶ受像機（テレビジョン受像機）
２  リモコン（ＯＳＤ表示指示操作手段）
１２  ディスプレイ（表示手段）
１７  制御用マイコン（制御手段）
２２  ＯＳＤ用識別デ−タ（識別情報）
１６ｂ  ＯＳＤ管理デ−タ（ＯＳＤ用デ−タ記憶手段）
１７ｃ  ＥＰＧ情報取得部（番組情報取得手段）
１７ｄ  ＯＳＤ用デ−タ取得部（ＯＳＤ用デ−タ取得手段）
１７ｅ  ＯＳＤ出力部（ＯＳＤ出力手段）
２１ａ〜２１ｎ  ＯＳＤ用デ−タ
【図１】
2012004943.tif 000003
【図２】
2012004943.tif 000004
【図３】
2012004943.tif 000005
【図４】
2012004943.tif 000006
【図５】
2012004943.tif 000007
【図６】
2012004943.tif 000008
【図７】
2012004943.tif 000009
【図８】
2012004943.tif 000010